(57)【要約】【課題】耐久性とデザインを向上させるとともに、偽造を防止することができる偽造防止印刷物および偽造防止フィルムを提供する。【解決手段】本発明の偽造防止印刷物１は、印刷物３の被印刷面に透明の保護フィルム５がラミネートされたものであって、上記保護フィルム５は、透明シート７に対し、所定の波長に反応して可視範囲の蛍光を発する蛍光インクにより所定の識別情報が印刷記録された蛍光印刷層９と、少なくとも上記蛍光印刷層９による印刷領域の全体を覆うように形成され、透過する光を乱反射させることにより自然光の下で上記蛍光印刷層９を隠蔽する隠蔽層１１とが形成されるとともに、上記蛍光印刷層９および隠蔽層１１が形成された側が印刷物３の被印刷面に対して貼着されている。【選択図】図２
2005225087.tif 000002
【特許請求の範囲】
【請求項１】
印刷物の被印刷面に透明の保護フィルムがラミネートされたものであって、上記保護フィルムは、透明シートに対し、所定の波長に反応して可視範囲の蛍光を発する蛍光インクにより所定の識別情報が印刷記録された蛍光印刷層と、少なくとも上記蛍光印刷層による印刷領域の全体を覆うように形成され、透過する光を乱反射させることにより自然光の下で上記蛍光印刷層を隠蔽する隠蔽層とが形成されるとともに、上記蛍光印刷層および隠蔽層が形成された側が印刷物の被印刷面に対して貼着されていることを特徴とする偽造防止印刷物。
【請求項２】
上記隠蔽層は、見る角度により反射光の色が変化する角度依存性を有する角度依存性インクにより形成され、上記保護フィルムは、少なくとも上記隠蔽層が印刷物の被印刷領域を覆うように貼着されている請求項１記載の偽造防止印刷物。
【請求項３】
透明シートに対し、所定の波長に反応して可視範囲の蛍光を発する蛍光インクにより所定の識別情報が印刷記録された蛍光印刷層と、少なくとも上記蛍光印刷層による印刷領域の全体を覆うように形成され、透過する光を乱反射させることにより自然光の下で上記蛍光印刷層を隠蔽する隠蔽層と、当該透明シートの蛍光印刷層および隠蔽層が形成された側を偽造防止対象物に対して貼着しうる粘着層とが形成されていることを特徴とする偽造防止フィルム。
【請求項４】
上記隠蔽層は、見る角度により反射光の色が変化する角度依存性を有する角度依存性インクにより形成され、上記透明シートのほぼ全面にわたって形成されている請求項３記載の偽造防止フィルム。 
【発明の詳細な説明】
【技術分野】
【０００１】
本発明は、例えば健康保険被保険者証、従業者証、社員証、会員証、学生証、キャッシュカード、有価証券、商品、外国人登録証および各種免許証等の偽造を防止することができる偽造防止印刷物および偽造防止フィルムに関するものである。
【背景技術】
【０００２】
近年、カラーコピー機の発達に伴って、本物と区別し難い精巧なコピーが可能になり、例えば証券、小切手、銀行券等の偽造が発生してきている。これらの偽造された印刷物は熟練した鑑定者や特殊な鑑定装置によれば容易に贋物と鑑定し得るが、有価証券等は種類も多くかつ広範囲に流通し、一般の人が取り扱う機会が多い。そのため、全ての有価証券等の真偽判別を熟練鑑定者や特殊鑑定装置に依存することは、実用的な手段ではなく、一般の人も容易且つ瞬時に判定し得ることが望まれている。
【０００３】
そこで、任意の視認性画像を、観察角度を変えることにより、少なくとも視認性画像の一部を現出・消去する印刷物が提案されている（例えば、下記の特許文献１参照。）。この特許文献１に示されるような印刷物は、観察角度によって画像の有無を一見して判断でき、特別な装置及び熟練鑑定者でなくとも容易に瞬時に真偽判別できるようになっている。
【特許文献１】特開２０００−３７９４１号公報
【発明の開示】
【発明が解決しようとする課題】
【０００４】
しかしながら、上記のような印刷物は、基材上に、任意の階調を有する２つ以上の視認性画像と背景画像を配置し、任意の階調を有する視認性画像のうち少なくとも１つの視認性画像は、少なくとも１色以上の光輝性インキからなる画像の組み合わせと、色彩の観察角度依存性の小さいインキとからなる画像との組み合わせで構成し、残りの任意の階調を有する視認性画像と上記背景画像は、少なくとも１色以上の光輝性インキからなる画像の組み合わせであり、上記任意の階調を有する２つ以上の視認性画像と背景画像とは異なる色彩の画像で構成されている。
【０００５】
すなわち、視認性画像と背景画像は、基材上で剥き出し状態であるため、これらの画像が他の物と擦れ合うことで消えたり、汚損する可能性がある。また、上記視認性画像と背景画像は、有価証券等の偽造防止対象物とデザインが調和しているものが好ましいが、上記視認性画像と背景画像は、視認性画像を可視光により視認することができるようになっているため、印刷物のデザインに応じて視認性画像と背景画像をデザインする必要がある。
【０００６】
また、上記のような印刷物では、視認性画像や背景画像は、印刷物に印刷された内容が視認性画像や背景画像により隠蔽されないよう印刷が施されていないスペース（例えば、印刷物の無地の部分や端部）に視認性画像や背景画像を配置する必要がある。このため、上記のようなスペースが狭ければ上記視認性画像や背景画像が小さくなり、視認され難くなり不便である。
【０００７】
本発明は、このような事情に鑑みなされたもので、耐久性とデザインを向上させるとともに、偽造を防止することができる偽造防止印刷物および偽造防止フィルムの提供を目的とする。
【課題を解決するための手段】
【０００８】
上記目的を達成するため、本発明の偽造防止印刷物は、印刷物の被印刷面に透明の保護フィルムがラミネートされたものであって、上記保護フィルムは、透明シートに対し、所定の波長に反応して可視範囲の蛍光を発する蛍光インクにより所定の識別情報が印刷記録された蛍光印刷層と、少なくとも上記蛍光印刷層による印刷領域の全体を覆うように形成され、透過する光を乱反射させることにより自然光の下で上記蛍光印刷層を隠蔽する隠蔽層とが形成されるとともに、上記蛍光印刷層および隠蔽層が形成された側が印刷物の被印刷面に対して貼着されていることを要旨とする。
【０００９】
また、上記目的を達成するため、本発明の偽造防止フィルムは、透明シートに対し、所定の波長に反応して可視範囲の蛍光を発する蛍光インクにより所定の識別情報が印刷記録された蛍光印刷層と、少なくとも上記蛍光印刷層による印刷領域の全体を覆うように形成され、透過する光を乱反射させることにより自然光の下で上記蛍光印刷層を隠蔽する隠蔽層と、当該透明シートの蛍光印刷層および隠蔽層が形成された側を偽造防止対象物に対して貼着しうる粘着層とが形成されていることを要旨とする。
【発明の効果】
【００１０】
すなわち、本発明の偽造防止印刷物によれば、印刷物の被印刷面に透明の保護フィルムがラミネートされているため、例えば定期入れや財布等の入れ物に入れて携帯しても、しわになったり傷んだりし難く、非常に耐久性に優れる。また、印刷物、蛍光印刷層、隠蔽層が透明シートによりラミネートされているため、これらが汚損することが防止される。
【００１１】
また、上記隠蔽層は、少なくとも上記蛍光印刷層による印刷領域の全体を覆うように形成され、自然光の下で上記蛍光印刷層を隠蔽する。したがって、自然光の下で上記所定の識別情報を隠蔽することができるため、上記所定の識別情報を使用者に意識させないようにすることができる。また、上記蛍光印刷層は、透過する光を乱反射させるため、使用者に対して印刷物にセキュリティ処理が施されていることを認識させるとともに、デザイン性に優れる。
【００１２】
また、上記のように、蛍光印刷層の蛍光インクは、上記隠蔽層により自然光の下では視認することができないが、例えば光や電磁波等を所定の波長で照射することで所定の識別情報を視認することができる。例えば、使用者は、印刷物が偽造されたものであるか否かを確認する場合には光や電磁波等を所定の波長で照射し、所定の識別情報が可視範囲の蛍光を発しなければ、偽造されたものであると容易に判別することができる。
【００１３】
また、透明シートが透明であり、自然光の元で所定の識別情報が見えないため、所定の識別情報がどのような文字、色、模様等の形態であっても上記印刷物とデザインが調和し易くなるとともに、保護フィルムを印刷物に貼着しても使用者が保護フィルムを透して印刷物（特に印刷内容）を見ることができる。これにより、上記保護フィルムを印刷物に貼着するスペースを気にする必要もなくなる。
【００１４】
また、上記保護フィルムは、蛍光印刷層と隠蔽層とが形成されているとともに、上記蛍光印刷層および隠蔽層が形成された側が印刷物の被印刷面に対して貼着される。したがって、偽造防止印刷物は、分解すると蛍光印刷層や隠蔽層が剥がれ、再び元の状態に戻すことが困難であるため、印刷物の真偽を容易に判別することができる。
【００１５】
本発明の偽造防止印刷物において、上記隠蔽層は、見る角度により反射光の色が変化する角度依存性を有する角度依存性インクにより形成され、上記保護フィルムは、少なくとも上記隠蔽層が印刷物の被印刷領域を覆うように貼着されている場合には、印刷物の印刷の色が見る角度によって変わるので、セキュリティ確認に有効である。また、上記隠蔽層に対する反射光の色が見る角度により変化するため、上記保護フィルムが使用者にとってキラキラと輝いて見えるため、印刷物のデザイン性を向上させることもできる。
【００１６】
また、本発明の偽造防止フィルムによれば、偽造防止対象物をラミネートすることができるため、偽造防止対象物が、例えばカード状のものである場合、それを定期入れや財布等に入れて携帯しても、しわになったり傷んだりし難く、非常に耐久性に優れる。また、透明シートにより偽造防止対象物、蛍光印刷層、隠蔽層がラミネートされているため、これらが汚損することが防止される。
【００１７】
また、上記蛍光印刷層は、上記隠蔽層は、少なくとも上記蛍光印刷層による印刷領域の全体を覆うように形成され、自然光の下で上記蛍光印刷層を隠蔽する。したがって、自然光の下で上記所定の識別情報を隠蔽することができるため、上記所定の識別情報を使用者に意識させないようにすることができる。また、上記蛍光印刷層は、透過する光を乱反射させるため、使用者に対して印刷物にセキュリティ処理が施されていることを認識させるとともに、デザイン性に優れる。
【００１８】
また、上記のように、蛍光印刷層の蛍光インクは、上記隠蔽層により自然光の下では視認することができないが、例えば光や電磁波等を所定の波長で照射することで所定の識別情報を視認することができる。例えば、使用者は、印刷物が偽造されたものであるか否かを確認する場合には光や電磁波等を所定の波長で照射し、所定の識別情報が可視範囲の蛍光を発しなければ、偽造されたものであると容易に判別することができる。
【００１９】
また、透明シートが透明であり、自然光の元で所定の識別情報が見えないため、所定の識別情報がどのような文字、色、模様等であっても上記偽造防止対象物とデザインが調和し易くなるとともに、偽造防止フィルムを偽造防止対象物に貼着しても使用者が偽造防止フィルムを透して偽造防止対象物を見ることができる。これにより、上記偽造防止フィルムを偽造防止対象物に貼着するスペースを気にする必要もなくなる。
【００２０】
また、上記偽造防止フィルムは、透明シートの蛍光印刷層および隠蔽層が形成された側を偽造防止対象物に貼着することができる。したがって、偽造防止フィルムを分解すると蛍光印刷層や隠蔽層が剥がれ、再び元の状態に戻すことが困難であるため、印刷物の真偽を容易に判別することができる。
【００２１】
また、上記偽造防止フィルムは、粘着層が形成されているため、予め用意された偽造防止対象物に貼着するだけで、その偽造防止対象物に容易にセキュリティ処理を施すことができる。すなわち、任意の物に対して手軽に偽造を防止することができる。また、上記偽造防止フィルムは、上記のように実質的に透明であるため、どのような偽造防止対象物ともデザインが調和し易くなり、汎用性が高くなる。
【００２２】
また、本発明の偽造防止フィルムにおいて、上記隠蔽層は、見る角度により反射光の色が変化する角度依存性を有する角度依存性インクにより形成され、上記透明シートのほぼ全面にわたって形成されている場合には、偽造防止対象物の色が見る角度によって変わるので、セキュリティ確認に有効である。また、上記隠蔽層に対する反射光の色が見る角度により変化するため、上記偽造防止フィルムが使用者にとってキラキラと輝いて見えるため、偽造防止印刷物のデザイン性を向上させることもできる。 
【発明を実施するための最良の形態】
【００２３】
つぎに、本発明を実施するための最良の形態を説明する。
【実施例１】
【００２４】
図１〜図３は、本発明の第１の実施例の偽造防止印刷物の外観を示す。
【００２５】
図１および図２に示すように、偽造防止印刷物１は、印刷物３の被印刷面に透明の保護フィルム５がラミネートされている。本実施例の偽造防止印刷物１は、カード状の会員カードとして使用される。
【００２６】
上記保護フィルム５は、ポリエステル（特にＰＥＴ）で形成された透明シート７に対し、所定の波長に反応して可視範囲の蛍光を発する蛍光インクにより所定の識別情報（図３に示す蛍光文字９ａ）が印刷記録された蛍光印刷層９と、少なくとも上記蛍光印刷層９による印刷領域の全体を覆うように形成され、透過する光を乱反射させることにより自然光（太陽の光、白熱電球の光、蛍光灯の光等の通常光）の下で上記蛍光印刷層９を隠蔽する隠蔽層１１とが形成されている。
【００２７】
保護フィルム５における透明シート７の蛍光印刷層９および隠蔽層１１が形成された側に粘着層１７が設けられている。
【００２８】
上記印刷物３の被印刷面は、会員カードの注意事項等の印刷内容が印刷された被印刷層１５が形成されている。上記保護フィルム５は、上記蛍光印刷層９および隠蔽層１１が形成された側が印刷物３の被印刷面に対し粘着層１７を介して貼着され、使用者は、透明シート７を透して印刷物３の被印刷面に印刷された印刷内容を視認することができる。
【００２９】
このように、印刷物３の被印刷面に透明の保護フィルム５がラミネートされているため、例えば定期入れや財布等の入れ物に入れて携帯しても、しわになったり傷んだりし難く、非常に耐久性に優れる。また、印刷物３、蛍光印刷層９、隠蔽層１１が透明シート７によりラミネートされているため、これらが汚損することが防止される。
【００３０】
また、上記隠蔽層１１は、少なくとも上記蛍光印刷層９による印刷領域の全体を覆うように形成され、自然光の下で上記蛍光印刷層９を隠蔽するようになっているため、自然光の下で上記所定の識別情報を隠蔽することができるため、上記所定の識別情報を使用者に意識させないようにすることができる。また、上記蛍光印刷層９は、透過する光を乱反射させるため、使用者に対して印刷物３にセキュリティ処理が施されていることを認識させるとともに、デザイン性に優れる。
【００３１】
また、保護フィルム５に、透明シート７の蛍光印刷層９および隠蔽層１１が形成された側を偽造防止対象物（図示では、印刷物３およびその被印刷層１５）１２に対して貼着しうる粘着層１７が形成されることにより、保護フィルム５が偽造防止対象物１２の偽造を防止する偽造防止フィルムとして機能し、予め用意された偽造防止対象物１２に貼着するだけで、その偽造防止対象物に容易にセキュリティ処理を施すことができる。すなわち、任意の物に対して手軽に偽造を防止することができる。また、上記保護フィルム５（偽造防止フィルム）は、上記のように実質的に透明であるため、どのような偽造防止対象物ともデザインが調和し易くなり、汎用性が高くなる。
【００３２】
なお、上記透明シート７としては、いわゆるＰＥＴを採用しているが、これに限定するものではなく、各種のものを用いることができる。例えば、ポリエチレン，ポリプロピレン，ポリスチレン，塩化ビニル樹脂，塩化ビニリデン樹脂等からなる単層のプラスチックフィルムや、複数のプラスチックフィルムのラミネートフィルム等があげられる。これらの中でも、ポリエステル、特にＰＥＴは、透明性，強靭性，電気絶縁性，寸法安定性に優れているため、好適に用いることができる。
【００３３】
上記のように、透明シート７として、無色で透明性のあるＰＥＴを用いているため、使用者は透明シート７を透して印刷物に書き込まれた内容をはっきり視認することができる。また、本実施例のように無色透明な透明シート７に限られず、適度に着色されたものや半透明なものを採用することもできる。
【００３４】
上記隠蔽層１１は、本実施例では、見る角度により反射光の色が変化する角度依存性を有する角度依存性インクにより形成され、上記保護フィルム５は、少なくとも隠蔽層１１が印刷物３の被印刷領域を覆うように貼着されている。
【００３５】
上記角度依存性インクとしては、メタリック顔料やパール顔料等を採用することができるが、本実施例では、パール顔料を用いている。パール顔料としては、雲母に反射性（高虹彩反射）を与える金属酸化物として、可視域に透明で屈折性が２．０以上ある金属酸化物を被覆したもので、例えば、Ｓｂ２Ｓ3、Ｆｅ２Ｏ３、ＰｂＯ、ＺｎＳｅ、ＣｄＳ、Ｂｉ２Ｏ３、ＴｉＯ２、ＰｂＣｌ２、ＣｅＯ２、Ｔａ２Ｏ５、ＺｎＳ、ＺｎＯ、ＣｄＯ、Ｎｄ２Ｏ３、Ｓｂ２Ｏ３、ＳｉＯおよびＩｎＯ３の単層の被覆もしくは２層に被覆することにより形成される。
【００３６】
雲母と金属酸化膜が組み合わされた時、その屈折率の差が０．４より大きいことから、入射した白色光の反射量が多く、また、同時に雲母と金属酸化膜の界面で副屈折を起こすことから、高虹彩反射性となり、変色効果をより効果的に助長する働きをする。この時、雲母を被覆する金属酸化膜の膜厚を制御することで任意の色調の高虹反射性を持ったパール顔料とすることができる膜厚は１０〜１００００オングストローム、望ましくは２００〜２０００オングストロームの範囲の膜厚が可視域に対して高虹彩反射性となるので望ましい。このようなパール顔料の市販のものとしては「Ｉｒｉｏｄｉｎ」（商品名、ＭＥＲＣＫ社製）等がある。「Ｉｒｉｏｄｉｎ」は、天然マイカの表面を酸化チタンおよび酸化鉄等の高屈折率の金属酸化物で被覆した安定した無機パール顔料であり、屈折率の高い酸化チタンの層と屈折率の低いマイカおよび周りの媒体との境界で反射した光が真珠光沢をもたらすものである。この「Ｉｒｉｏｄｉｎ」には、被覆された酸化チタンの膜厚を変えることによって虹彩色の特定な色を強調させることができ、このようなパール顔料は有色色料との混合物にビヒクル、添加剤を加えインキ化して用いる。
【００３７】
上記パール顔料は、その他にゴールドタイプやシルバータイプであってもよい。
【００３８】
このように、上記隠蔽層１１が角度依存性インクにより形成されていると、印刷物３の印刷（印刷された文字等）の色が見る角度によって変わるので、セキュリティ確認に有効である。また、上記隠蔽層１１に対する反射光の色が見る角度により変化するため、上記保護フィルム５が使用者にとってキラキラと輝いて見えるため、印刷物３全体としてデザイン性を向上させることもできる。
【００３９】
なお、上記隠蔽層１１は、微小な凹凸を形成された層であってもよい。例えば、マット（つや消し）仕上げ、シボ状の凹凸を形成するシボ仕上げ等の加工により実現される。また、上記隠蔽層１１は、上記マット仕上げ等の加工により表面が凹凸に形成され透明性のあるＰＥＴ，ポリエチレン，ポリプロピレン，ポリスチレン，塩化ビニル樹脂，塩化ビニリデン樹脂等からなる単層のプラスチックフィルムや、複数のプラスチックフィルムのラミネートフィルム等の透明シート７と同様なものであってもよい。
【００４０】
上記蛍光インクとしては、紫外線や赤外線等のブラックライト（不可視光線）や電磁波等が照射されることにより蛍光を発する蛍光染料、蛍光顔料等を採用することができる。本実施例では、紫外線が照射されることにより蛍光を発する蛍光顔料（ブラックライト顔料）を採用している。
【００４１】
図３に示すように、上記蛍光印刷層９に対してブラックライトを照射することで、蛍光印刷層９に蛍光インクで印刷された蛍光文字９ａが蛍光を発する。
【００４２】
このように、蛍光印刷層９の蛍光インクは、上記隠蔽層１１により自然光の下では視認することができないが、上記のように光や電磁波等を所定の波長で照射することで所定の識別情報を視認することができる。例えば、使用者は、印刷物３が偽造されたものであるか否かを確認する場合には光や電磁波等を所定の波長で照射し、所定の識別情報が可視範囲の蛍光を発しなければ、偽造されたものであると容易に判別することができる。
【００４３】
また、透明シート７が透明であり、自然光の下で所定の識別情報が見えないため、所定の識別情報がどのような文字、色、模様等の形態であっても上記印刷物３とデザインが調和し易くなるとともに、保護フィルム５を印刷物３に貼着しても使用者が保護フィルム５を透して印刷物３（特に印刷内容）を見ることができる。これにより、上記保護フィルム５を印刷物３に貼着するスペースを気にする必要もなくなる。
【００４４】
また、上記保護フィルム５は、蛍光印刷層９と隠蔽層１１とが形成されているとともに、上記蛍光印刷層９および隠蔽層１１が形成された側が印刷物３の被印刷面に対して貼着される。したがって、偽造防止印刷物１は、各層に分解すると蛍光印刷層９や隠蔽層１１が剥がれ、再び元の状態に戻すことが困難であるため、印刷物３の真偽を容易に判別することができる。また、各層をもろく形成することで、再び元の状態に戻すことが一層困難となり、セキュリティ性が強化される。
【実施例２】
【００４５】
図４〜図７は、本発明の第２の実施例を示す。
【００４６】
図４〜図６に示すように、本実施例の偽造防止印刷物１は、台紙２１により保持されている。具体的には、上記台紙２１は、上記印刷物３を含む偽造防止対象物１２と、保護フィルム５とを含んで構成されている。上記印刷物３と上記保護フィルム５との積層部には、切り取り線（切れ込み）２３で囲まれた切り離し可能なカード部６１が設けられている。そして、カード部６１は、切り取り線２３に沿って切り取ることで台紙２１から切り離すことができるようになっている。
【００４７】
本実施例では、台紙２１から切り離されたカード部（偽造防止印刷物１）６１は、カード状の健康保険被保険者証として使用される。それ以外は、上記第１の実施例と同様であり、同様の部分には同じ符号を付している。また、上記第１の実施例と同様の作用効果を奏する。
【００４８】
上記保護フィルム５のカード部６１を形成する切り取り線２３は、断続的な切れ込み（いわゆるミシン目）からなるものである。このため、カード部６１を切り離す前は、カード部６１が台紙２１から容易に切り離されないように保持するとともに、カード部６１の切り離しが必要になったときには、切り取り線２３から保護フィルム５のカード部６１を容易に切り離すことができる。
【００４９】
このように、予め被印刷層１５に印刷記録された印刷物３に対して保護フィルム５を貼着し、その保護フィルム５を貼着した領域内に上記のような切り取り線２３を設け、台紙２１からカード部６１を切り離すことにより、印刷物３の片面全域がラミネートされた偽造防止印刷物１を容易に作成することができる。また、偽造防止印刷物１が台紙２１に保持されているため、その台紙２１の余白部分に偽造防止印刷物１に関する情報を書き込むことができる。この偽造防止印刷物１に関する情報としては、例えばカード番号やカードの発行先の情報（申し込み者に関する情報等）である。これにより、カードの発行元において、発行先の情報を一元的に管理することができる。
【００５０】
図７（Ａ）に示すように、使用者は、偽造防止印刷物１を自然光の下で見ると、蛍光文字９ａが視認できないが、図７（Ｂ）に示すように、蛍光印刷層９に対して紫外線を照射すると、蛍光文字９ａが蛍光を発し、蛍光文字９ａを視認できる。
【実施例３】
【００５１】
図８〜図１１は、本発明の第３の実施例を示す。
【００５２】
図８および図９に示すように、本実施例の偽造防止印刷物１は、印刷物３の透明シート７に対して反対側の面に貼着用粘着層３３が形成され、さらに、その貼着用粘着層３３に剥離シート３５が積層され、偽造防止用のセキュリティシールとして使用することができる。
【００５３】
上記剥離シート３５の貼着用粘着層３３側の面には、図示していないシリコーン被覆層が形成されている。上記易剥離加工としては、貼着用粘着層３３から容易に剥離できるものであれば特に限定するものではなく、例えば、フッ素樹脂コーティング、シリコーンフッ素樹脂コーティング、エンボス加工、ブラスト加工等が採用される。
【００５４】
図１０（Ａ）に示すように、印刷物３の被印刷面には「ＳＥＣＵＲＩＴＹ」と印刷文字１５ａが印刷記録され、偽造防止印刷物１の表面（透明シート７側の面）から保護フィルム５を透して「ＳＥＣＵＲＩＴＹ」と印刷された印刷文字１５ａを視認することができる。図１０（Ｂ）に示すように、偽造防止印刷物１の裏面（印刷物３側の面）には、上述のように、貼着用粘着層３３、剥離シート３５の順に積層されている。このため、剥離シート３５を剥がし、保護フィルム５の貼着用粘着層３３側の面を偽造防止対象物に対して貼着することができる。
【００５５】
図１１に示すように、偽造防止印刷物１を偽造防止対象物としての会員カード３９に貼着することで会員カード３９の偽造を防止することができる。使用者は、図１１（Ａ）に示すように、偽造防止印刷物１を自然光の下で見ると、蛍光文字９ａが視認できないが、図１１（Ｂ）に示すように、紫外線を照射すると、蛍光文字９ａが蛍光を発し、蛍光文字９ａを視認できる。
【００５６】
このように、貼着用粘着層３３が形成されているため、予め用意された会員カード３９等の偽造防止対象物に貼着するだけで、その偽造防止対象物に容易にセキュリティ処理を施すことができる。すなわち、任意の物に対して手軽に偽造を防止することができる。
【実施例４】
【００５７】
図１２〜図２２は、本発明の第４の実施例を示す。
【００５８】
図１２〜図１４に示すように、本実施例では、上記第２の実施例と同様に、偽造防止印刷物１は、台紙４０により保持されている。この台紙４０は、第１接着層４１（図１４）を有する印刷物である印刷用シート４３と、一面が印刷用シート４３の第１接着層４１に対して剥離可能に積層された剥離シート４５と、第２接着層４７（図１４）を有し、第２接着層４７が剥離シート４５の他面に対して剥離可能に積層された保護フィルム５とを備える。印刷用シート４３と剥離シート４５と保護フィルム５との積層部には、切り取り線（切れ込み）５１，５３で囲まれた切り離し可能なカード状の偽造防止印刷物１が設けられている。そして、カード状の偽造防止印刷物１のうち印刷用シート４３と剥離シート４５とが第１接着層４１を介して積層された状態で保護フィルム５と第２接着層４７を残して剥離しうるようになっている。それ以外は、上記第１の実施例と同様であり、同様の部分には同じ符号を付している。また、上記第１の実施例と同様の作用効果を奏する。
【００５９】
上記切り取り線５１は、断続的な切れ込み（いわゆるミシン目）からなるものである。このため、偽造防止印刷物１を切り離す前は、偽造防止印刷物１が台紙４０から容易に切り離されないように保持するとともに、透明シート７の切り離しが必要になったときには、切り取り線５１から透明シート７のカード部６１を容易に切り離すことができる。
【００６０】
上記切り取り線５３は、上記印刷用シート４３から剥離シート４５にわたり、実質的に連続する切れ込みからなるものである。このため、カード部６１のうち剥離シート４５と印刷用シート４３を透明シート７から容易に剥離することができる。
【００６１】
つぎに、図１５〜図２２を参照して、本実施例の偽造防止印刷物１の作成手順の一例について説明する。なお、図１５では、それぞれ台紙４０の一部を省略して示している。
【００６２】
まず、図１５（１）に示す印刷用シート４３の印刷面は、図１６に示すように、印刷用シート４３の印刷面に、偽造防止印刷物１（図２０参照）の表および裏となる面に手書き，ゴム版，捺印，印刷などの自由な書き込みが行なわれた状態である。この後、図１５（２）および図１７に示すように、カード部６１のうち印刷用シート４３と剥離シート４５とが積層された状態で保護フィルム５から剥離する。このとき、切り取り線５３は、実質的に連続する切れ込みからなるものであるため、保護フィルム５から印刷用シート４３と剥離シート４５とが積層されたカード部６１を容易に剥離することができる。また、保護フィルム５のカード部６１が断続的な切れ込み５１で囲まれているため、保護フィルム５のカード部６１が不用意に切り離されてしまうことが防止される。
【００６３】
また、上記第２接着層４７の接着力は第１接着層４１の接着力より弱いものが使用されているため、印刷用シート４３と剥離シート４５とが剥離してしまうことを防止され、カード部６１のうち印刷用シート４３と剥離シート４５とが積層された状態で保護フィルム５から剥離し易くなっている。
【００６４】
ついで、図１５（３）に示すように、保護フィルム５から剥離した印刷用シート４３と剥離シート４５とが積層されたカード部６１を裏返す。この後、図１５（４）および図１８に示すように、印刷用シート４３と剥離シート４５とが積層されたカード部６１の印刷用シート４３の印刷面が台紙４０に残された保護フィルム５のカード部６１に対面するように、上記第１接着層４１を介して保護フィルム５と接着させる。
【００６５】
このようにすることで、図１５（５）および図１８に示すように、印刷用シート４３の印刷面が保護フィルム５によってラミネート（ラミネート加工）される。すなわち、カード部６１が上記第３の実施例と同様の構成となる。
【００６６】
つぎに、図１５（６）および図１９に示すように、台紙４０からカード部６１を構成する剥離シート４５と印刷用シート４３と保護フィルム５との積層体を、切り取り線５１，５３から切り離す。このようにすることで、図１５（７）に示すように、剥離シート４５と接着した印刷用シート４３の印刷面が保護フィルム５によってラミネートされたカード部６１が台紙４０から分離する。
【００６７】
ついで、図１５（８）および図２０に示すように、剥離シート４５と印刷用シート４３と保護フィルム５からなるカード部６１から剥離シート４５を剥離する。これにより、上記第１接着層４１が剥き出しになる。この後、図２１（Ａ）に示すように、上記第１接着層４１を剥き出しにした状態のカード部６１を２つ用意し、図１５（９）および図２１（Ｂ）に示すように、そのカード部６１とカード部６１とを第１接着層４１を介して貼り合わせる（接着させる）。ここで、カード部６１とカード部６１とを貼り合わせない場合、１つのカード部６１を上記第３の実施例と同様に用いることもできる。
【００６８】
上記のようにカード部６１とカード部６１を貼り合わせることで、図１５（１０）および図２１に示すように、両面に自由な書き込みがされ、保護フィルム５によってラミネートされたカード（カード部６１とカード部６１が貼り合わされた積層カード）ができる。
【００６９】
したがって、使用者は、印刷面に自由な書き込みを行ない、その面にラミネート加工を手軽に施すことができるため、自分の趣向に応じ、耐久性に優れたカードを気軽に作成することができる。このように、使用者は、台紙４０から手軽に耐久性に優れ、用途に応じたカードを得ることができるため、カードをさまざまな用途に使用することができる。
【００７０】
なお、上記各実施例において、磁気記録層を設けてもよい。この場合、例えば、前述の透明シートと印刷物の間に磁気テープや磁気フィルムを挟み込んでもよい。こうすることにより、診察券や会員証等だけでなく、情報が記録できる磁気記録カード等として銀行カードや住民カード，クレジットカード，プリペイドカード等、各種の用途に用いることができ、便利である。
【００７１】
また、上記磁気記録層と同じようにＩＣチップや読み書き用のアンテナを設けてもよい。これにより、例えば、高密度情報が記録できるＩＣカードやメモリカード等として利用でき、プリペイドカードやゲームカード等各種の用途に用いることができる。
【００７２】
また、上記各実施例において、前述の透明シートにいわゆるホログラムを設けてもよい。ホログラムを設けることにより、カードの信憑性やデザインを一層向上させることができる。また、前述の印刷用シート、剥離シート、透明シートの厚み，素材，硬さ，形状，色彩，模様等は、任意に設定することができる。これにより、使用者にバラエティーに富んだカードを提供することができる。
【００７３】
上記各実施例では、切り離し可能なカード部が略長方形であるものを例示したが、これに限定するものではなく、ハート型や星型等各種の形状にすることもできる。
【図面の簡単な説明】
【００７４】
【図１】本発明の第１の実施例の偽造防止印刷物を示す図である。
【図２】偽造防止印刷物を示す断面図である。
【図３】紫外線が照射されている偽造防止印刷物を示す図である。
【図４】第２の実施例の偽造防止印刷物を示す斜視図である。
【図５】偽造防止印刷物を示す展開図である。
【図６】偽造防止印刷物を示す断面図である。
【図７】偽造防止印刷物に対して紫外線が照射されていない状態と紫外線が照射されている状態を示す図である。
【図８】第３の実施例の偽造防止印刷物を示す図である。
【図９】偽造防止印刷物を示す断面図である。
【図１０】偽造防止印刷物の表面と裏面を示す図である。
【図１１】偽造防止印刷物に対して紫外線が照射されていない状態と紫外線が照射されている状態を示す図である。
【図１２】第４の実施例の偽造防止印刷物を示す斜視図である。
【図１３】偽造防止印刷物を示す展開図である。
【図１４】偽造防止印刷物を示す断面図である。
【図１５】カードの作成手順を示す断面図である。
【図１６】台紙の印刷用シート側を示す平面図である。
【図１７】台紙の印刷用シート側の拡大図である。
【図１８】偽造防止印刷物を示す断面図である。
【図１９】台紙から切り離されたカード部の拡大図である。
【図２０】剥離シートが剥がされている偽造防止印刷物を示す図である。
【図２１】カード部の貼り合わせを示す図である。
【図２２】カードの表面と裏面を示す図である。
【符号の説明】
【００７５】
１      偽造防止印刷物
３      印刷物
５      保護フィルム
７      透明シート
９      蛍光印刷層
９ａ    蛍光文字
１１    隠蔽層
１２    偽造防止対象物
１５    被印刷層
１５ａ  印刷文字
１７    粘着層
２１    台紙
２３    切り取り線
３３    貼着用粘着層
３５    剥離シート
３９    会員カード
４０    台紙
４１    第１接着層
４３    印刷用シート
４５    剥離シート
４７    第２接着層
５１    切り取り線
５３    切り取り線
６１    カード部
【図１】
2005225087.tif 000003
【図２】
2005225087.tif 000004
【図３】
2005225087.tif 000005
【図４】
2005225087.tif 000006
【図５】
2005225087.tif 000007
【図６】
2005225087.tif 000008
【図７】
2005225087.tif 000009
【図８】
2005225087.tif 000010
【図９】
2005225087.tif 000011
【図１０】
2005225087.tif 000012
【図１１】
2005225087.tif 000013
【図１２】
2005225087.tif 000014
【図１３】
2005225087.tif 000015
【図１４】
2005225087.tif 000016
【図１５】
2005225087.tif 000017
【図１６】
2005225087.tif 000018
【図１７】
2005225087.tif 000019
【図１８】
2005225087.tif 000020
【図１９】
2005225087.tif 000021
【図２０】
2005225087.tif 000022
【図２１】
2005225087.tif 000023
【図２２】
2005225087.tif 000024